Podtech/llm-jp-corpus-v4-ja_patent huggingface dataset:
(57)【要約】【課題】状来のスマートフォン、タブレットにインターネット機能、電話通信機能、ＴＶ電話機能を持った機器は存在しているが、これを同時に操作して、同時に全て動作を機能させることができない問題があった。【解決手段】ディスプレイをマイクにすることの新技術により、斬新な機能を持った次世代のスマートフォン、タブレットの通信機器である、同時に操作、同時に機能が可能となった。【選択図】図１
2018026774.tif 000002
【特許請求の範囲】
【請求項１】
ディスプレイ全体をマイク構造とする。ディスプレイの構造は、２層とし、上層はインターネットで、情報が画面に表示される現在使われているプレートガラス。下層はマイク対応とし、口声が振動伝達効率の高い、また鮮明に伝わるもの。下層の機能実現には、いくつかの容態である、液体、ジェル、軟質または硬質材プレート等を用いて口声が装置内部の電気信号変換部分に伝わる最適なディスプレイマイクの開発。
【請求項２】
上層ディスプレイに簾状の隙間を作る、もしくは無数の孔を設けた請求項１のディスプレイ。
【発明の詳細な説明】
【技術分野】
【０００１】本発明は、全て亙るスマートデバイスのディスプレイに、マイク機能に関する。
【背景技術】
【０００２】  ［スマートフォン、タブレット等の通信機器における新しい斬新な機能を持った新しい技術により通信機器開発が目標です。過去に、現在の機器が発表されて以来、変わっていないと私は考え、次の技術が、スマートフォン・タブレットに反映されて、次の世代の通信機器技術であるとの確信を自負する背景です。
【発明の概要】
【発明が解決しようとする課題】
【０００３】以上に述べた従来のマイクでは、スマートフォン、タブレットに於ける通話時、本体機器のマイク部分を口唇に当てる為、ディスプレイが目の視界から外れます。【０００４】本発明は、従来構成では不可能である動作及び操作環境を解決しようとするものであり、ディスプレイ全体をマイクとすることで、情報通信機器の３要素、ネット／ＴＶ電話／通話の各機能を同時に視聴そして話すことを可能にするためのディスプレイ画面を実現することを目的とする。
【課題を解決するための手段】
【０００５】そして、本発明は上記目的を達成するために、ディスプレイ全体をマイク構造とするために、ディスプレイに、１つはインターネット機能のクリック、タッチする動作により、情報が画面に現れる。もう１つは声を話す音声が電気信号に変わるディスプレイが必要です。【０００６】それには、画面を２層にして、上層をネット対応でクリック、タッチによる信号を伝え、下層をマイク対応とし、声が振動伝達効率の高い、また鮮明に伝わるもの。下層を例として液体、ジェル、軟質または硬質材プレートを用いて口声が装置内部の電気信号変換部分に伝わらないか。【０００７】また、上層ディスプレイに簾状の隙間を作るか、もしくは無数の孔を設ける。【０００８】他案も含め、Ｄｉｓｐｌａｙ表面を指で触れながらの通話機能を可能とするためのＤｉｓｐｌａｙを開発する。
【発明の効果】
【０００９】インターネット上で地図、音楽、絵画、論文、その他、あらゆる情報をＤｉｓｐｌａｙ上にタッチしながら相手との相互通話が可能。
【図面の簡単な説明】
【００１０】
【図１】タブレット本体図
【発明を実施する為の形態】
【００１１】タブレット本体を直視し、ネット画面、ＴＶ電話画面を観ながら、会話を実施する。
【図１】
2018026774.tif 000003
(57)【要約】【課題】惑星上では、重力加減機の発生させる引力空間は重力に引かれて下方に移動するともに、重力加減機の発生させる斥力空間は重力と反発して上方に移動してしまうため、重力加減機単独では重力の増減を効果的に行えない。本発明は、重力加減機を組み合わせて重力の増減を効果的に行うことを目的とする。【解決手段】重力加減機を単数もしくは複数、惑星上において固定する。この単数もしくは複数の重力加減機を重力加減機Ａとする。重力加減機Ａの上方にも、重力加減機を単数もしくは複数、惑星上において固定する。この単数もしくは複数の重力加減機を重力加減機Ｂとする。重力加減機Ａにおいては、斥力空間を発生させる。重力加減機Ｂにおいては、引力空間を発生させる。これにより、斥力空間及び引力空間の移動を停止させられる請求項１の方法及び人間に重力の減少を享受させる請求項２の方法及び人間に重力の増加を享受させる請求項３の方法。【選択図】図１
2018026989.tif 000002
【特許請求の範囲】
【請求項１】
重力加減機を単数もしくは複数、惑星上において固定する。この単数もしくは複数の重力加減機をまとめて重力加減機Ａとする。重力加減機Ａの上方にも、重力加減機を単数もしくは複数、惑星上において固定する。この単数もしくは複数の重力加減機をまとめて重力加減機Ｂとする。重力加減機Ａにおいては、斥力空間を発生させる。重力加減機Ｂにおいては、引力空間を発生させる。すると、上昇しようとする斥力空間と下降しようとする引力空間がぶつかり合うので、斥力空間及び引力空間の移動を停止させることができる請求項１の方法。
【請求項２】
請求項１の方法により、移動を停止した斥力空間内に、人間が居るようにさせて、人間に重力減少を享受させる請求項２の方法。
【請求項３】
請求項１の方法により、移動を停止した引力空間内に、人間が居るようにさせて、人間に重力増加を享受させる請求項３の方法。
【発明の詳細な説明】
【技術分野】
【０００１】
本発明は、電気エネルギーと磁場のエネルギーを利用して、物体に働く重力の加減が可能となる重力場を発生させる技術に関する。
【背景技術】
【０００２】
電気エネルギーと磁場のエネルギーを利用して、物体に働く重力の加減が可能となる重力場を発生させる技術は、従来、存在しない。ただ、「高周波超伝導電磁エンジン」（特許文献１及び非特許文献１参照）は、従来の技術であって反重力場を発生させないが、反重力を可能とする。
そこで、新たに、電気エネルギーと磁場のエネルギーを利用して、物体に働く重力の加減が可能となる重力場を発生させる技術として、重力加減機が発明された。重力加減機は特願２０１６−１４６８７６として出願されている。
本発明は、重力加減機を用いて、惑星上で効果的に重力を増減させる方法である。
【先行技術文献】
【特許文献】
【０００３】
【特許文献１】特開２００７−２７８２６５号公報
【非特許文献】
【０００４】
【非特許文献１】久保田英文著  「銀河への道」ブイツーソリューション  ２００９年
【発明の概要】
【発明が解決しようとする課題】
【０００５】
重力加減機は惑星上でも重力を増加させる引力空間及び重力を低下させる斥力空間を発生させられる。しかし、惑星上では、重力加減機の発生させる引力空間は重力に引かれて下方に移動するともに、重力加減機の発生させる斥力空間は重力と反発して上方に移動してしまうため、重力加減機単独では、重力の増減を効果的に行えない。
そのため、本発明は、重力加減機を組み合わせて重力の増減を効果的に行うことを目的とする。
【課題を解決するための手段】
【０００６】
重力加減機を単数もしくは複数、惑星上において固定する。この単数もしくは複数の重力加減機をまとめて重力加減機Ａとする。重力加減機Ａの上方にも、重力加減機を単数もしくは複数、惑星上において固定する。この単数もしくは複数の重力加減機をまとめて重力加減機Ｂとする。
重力加減機Ａにおいては、重力加減機(特許願２０１６−１４６８７６)の請求項２の方法により、斥力空間を発生させる。
重力加減機Ｂにおいては、重力加減機(特許願２０１６−１４６８７６)の請求項３の方法により、引力空間を発生させる。
すると、上昇しようとする斥力空間と下降しようとする引力空間がぶつかり合うので、斥力空間及び引力空間の移動を停止させることができる。
【０００７】
本発明によって作られた移動しない斥力空間内に人間が居れば、重力が減少した状態を享受できるので、高重力の惑星上での効果的な重力減少が実現できる。
【０００８】
本発明によって作られた移動しない引力空間内に人間が居れば、重力が増加した状態を享受できるので、低重力の惑星上での効果的な重力増加が実現できる。
【発明の効果】
【０００９】
電気エネルギーと磁場のエネルギーを利用して、惑星上の重力の増減を効果的に実現できる。
【図面の簡単な説明】
【００１０】
【図１】図１は本発明による重力加減機の配置図である。
【図２】図２は本発明による重力減少の概念図である。
【図３】図３は本発明による重力増加の概念図である。
【産業上の利用可能性】
【００１１】
地球よりも重い重力を持つ惑星上で効果的に重力を減少させられる。
地球よりも軽い重力を持つ惑星上で効果的に重力を増加させられる。
【符号の説明】
【００１２】
１    重力加減機Ａ
２    重力加減機Ｂ
３    斥力空間
４    引力空間
５    人間
【図１】
2018026989.tif 000003
【図２】
2018026989.tif 000004
【図３】
2018026989.tif 000005
(57)【要約】【課題】処理に従来のような手間がかからないクラゲの液化方法を提供しようとするもの。【解決手段】クラゲを凍結する工程と、前記クラゲを解凍する工程を有することを特徴とする。この発明によると、凍結したクラゲを解凍することにより、面倒な手数をかけることなく液化することが出来る。解凍により液化した前記クラゲを電気分解するようにしてもよい。このように構成すると、液化したクラゲの電気分解によりCODやBODを低減して清浄化することが出来る。【選択図】なし【特許請求の範囲】
【請求項１】
クラゲを凍結する工程と、前記クラゲを解凍する工程を有することを特徴とするクラゲの液化方法。
【請求項２】
解凍により液化した前記クラゲを電気分解するようにした請求項１記載のクラゲの液化方法。
【発明の詳細な説明】
【技術分野】
【０００１】
この発明は、発電所近傍の海域などで非常に厄介者であるクラゲの液化方法に関するものである。
【背景技術】
【０００２】
従来、発電所等のプラントで利用する冷却水を取り入れる取水口において回収した大量のクラゲを処理する発電所の取水口におけるクラゲの処理方法に関する提案があった（特許文献１）。  すなわち火力発電所、原子力発電所等の発電プラントでは、ボイラーで生成した蒸気を冷却する復水器が備えられており、この復水器の冷却水として海水、河川水等を用いている。大量の海水や河川水を取水するが、それらの水中にはクラゲや各種の塵芥などが浮遊している。そこで、この冷却水を取り込む取水路上に除塵機を設けている。
夏季になると、取水口にクラゲが大量に押し寄せ、取水口が塞がれることがある。取水口が塞がれると、冷却水を供給できず、発電設備の冷却を行うことができなくなる。発電所そのものの作動を停止することがある。そこで、取水口の閉塞を防止するために、除塵機により取水口に押し寄せる大量のクラゲを回収している。
この回収したクラゲは大部分が水分であるが、腐敗すると硫化水素等の悪臭を発生する。また、そのクラゲから有機物濃度の高い液が溶出するなど周辺環境を著しく悪化させる。そこで取水口で回収した大量のクラゲは次のような処理を施している。
除塵機で陸揚げしたクラゲは、先ず、人手により塵芥箱（塵芥ヤード）に集める。このクラゲを適当な大きさに切り刻み、又は破砕し、又は押し潰した後、粉砕する。脱臭剤を添加した後、処理槽に投入し、分解酵素を添加する。この処理槽において酵素分解により溶解処理し、それを回収・廃棄処理する。
このようにクラゲは海水、即ち塩水等を大量に含んでいるため、そのままの焼却処理はできないため、乾燥処理又は薬剤による処理が必要である。なお、陸揚げされたクラゲを露地に放置しておくと、上述したように腐敗により容積は小さくなるが強烈な悪臭を発するという問題を有していた。真夏の炎天下における作業では特に悪臭を発しやすい。
従来提案のクラゲの処理方法は、発電所の取水口において回収したクラゲを処理する発電所の取水口におけるクラゲの処理方法であって、前記取水口に設置された除塵機のバケットでクラゲを捕捉し、該バケットを上昇させながら水切りし、該バケットを反転してクラゲを捕集口に落下させ、前記捕集口に接続されたジェクターの吸引口にクラゲを入れ、該ジェクターの円筒部材の周囲から、その長手方向の一方へ噴射する圧縮空気を供給し、クラゲの吸引から圧送までの間に、クラゲを破砕・粉砕し、この破砕・粉砕する際に水分も消失させてクラゲの容積を縮小させ、かつ分解酵素を添加し、次に、分解酵素が添加されたクラゲを処理槽に投入した後、該処理槽において酵素分解により溶解処理する、というものである。
しかし、この従来提案の内容では処理に非常に手間がかかるという問題があった。
【先行技術文献】
【特許文献】
【０００３】
【特許文献１】特開2012-120957号公報
【発明の概要】
【発明が解決しようとする課題】
【０００４】
そこでこの発明は、処理に従来のような手間がかからないクラゲの液化方法を提供しようとするものである。
【課題を解決するための手段】
【０００５】
前記課題を解決するためこの発明では次のような技術的手段を講じている。
（１）この発明のクラゲの液化方法は、クラゲを凍結する工程と、前記クラゲを解凍する工程を有することを特徴とする。
この発明によると、凍結したクラゲを解凍することにより、面倒な手数をかけることなく液化することが出来る。
【０００６】
（２）解凍により液化した前記クラゲを電気分解するようにしてもよい。
このように構成すると、液化したクラゲの電気分解によりCODやBODを低減して清浄化することが出来る。
【発明の効果】
【０００７】
この発明は上述のような構成であり、次の効果を有する。
凍結したクラゲを解凍することにより液化することが出来るので、処理に従来のような手間がかからないクラゲの液化方法を提供することが出来る。
【発明を実施するための形態】
【０００８】
以下、この発明の実施の形態を説明する。
この実施形態のクラゲの液化方法は、クラゲを凍結する工程と、前記クラゲを解凍する工程を有する。クラゲとして、エチゼンクラゲを使用した。
具体的には、エチゼンクラゲを約−20℃の冷凍庫に3日間収容し、その後取り出して屋外で自然解凍した。すると、エチゼンクラゲの体組織が破壊されたような感じで液化した。
そして、解凍により液化した前記クラゲを、無隔膜電解装置を使用して20cc/min、6A/dm2で循環しつつ電気分解した。すると、処理前のCODが2,240ppmであったのが電解後に7.8ppmに低減した。
【０００９】
次に、この実施形態のクラゲの液化方法の使用状態を説明する。
このクラゲの液化方法によると、凍結したクラゲを解凍することにより、面倒な手数をかけることなく液化することができ、処理に従来のような手間がかからないという利点を有する。
そして、解凍により液化した前記クラゲを電気分解することにより、CODを低減して清浄化することが出来た。
【産業上の利用可能性】
【００１０】
従来のようなコストがかからないことによって、発電所近傍の海域などで非常に厄介者である種々のクラゲの処理の用途に適用することができる。
(57)【要約】【課題】どのような保管状態でもロープに癖が付かず、尚且、安定した回旋が容易に出来る縄跳びを提供する。【解決手段】ロープ部分を直径１ｍｍ〜４ｍｍ程度のひもに合成樹脂やゴム類を使用した長さ２ｃｍ〜６ｃｍの筒状部品を通すことにより、ロープに癖が付かず、筒状部品の重さにより遠心力を利用してロープを回す動作のサポートを行う。また、筒状部品の直線がある事により、回す力が直接ロープ部分に伝わりやすくなり、綺麗な円を描きやすくなる。【選択図】図１
2018008134.tif 000002
【特許請求の範囲】
【請求項１】
合成樹脂やゴム等を使用した長さ２ｃｍ〜６ｃｍの筒状の部品を直径１ｍｍ〜４ｍｍのひもに通し、ロープとして使用する縄跳び。
【発明の詳細な説明】
【技術分野】
【０００１】      本発明は、縄跳びのロープに関し、子供から大人まで基本の技を跳びやすくする為のものである。
【背景技術】
【０００２】      一般的に縄跳びは、所定の長さを有するロープとその各端部に設けられるグリップで構成されている。所定の長さのロープは、保管時には２つまたは、３つ折りにした後その部分を結ぶ事により、持ち運びしやすくする事が一般的となっている。【０００３】      ロープ部分はビニル等の材質の物が多く、その性質上多少であっても結び癖が発生する。【０００４】      それにより、ロープの癖が邪魔をして縄跳びを回す事が上手に出来ない、ロープが途中から絡まるような現象が発生してしまう。【０００５】      これらにより、縄跳びの技を習得している場合でも、ロープ部分の影響により上手に跳ぶ事が出来ない事が発生する。
【特許文献１】特開２０１２−１７０８０５
【発明の概要】
【発明が解決しようとする課題】
【０００６】      上記のような縄跳びの場合、幼児が初めて縄跳びを回す為に特化した構造になっているため、後ろから前にロープを回して跳ぶ、いわゆる、前とびのみしか対応が出来ない。【０００７】      この発明は、小さな子供でも後ろから前に縄跳びを回す動作がビニル製及び布製ロープに比べ、比較的容易で、尚且つ、前とび以外の跳び方も出来る事を目的とする。【０００８】      一般的なビニル製や布製の縄跳びに比べ、ロープ部分の絡まりや癖付きを無くし、より跳びやすくなる事を目的とする。
【課題を解決するための手段】
【０００９】      上記の目的を達成するために、持ち手（グリップ）とロープの接続部分の固定を廃止し、どのような回し方にも対応が出来る様にした。【００１０】      筒状部品をロープ全体に適度な量を取り付けするため、筒状部品が縄跳びを回す動きに追随し、尚且つ、部品の重量により、前に回す動きであれば前方向に縄跳びが回る動きをサポートする。【００１１】      ロープ部分に癖がつく事がない構造の為、腕を交差する動きの場合も回す動きをサポートする為、ロープ部分が途中でねじれる、絡まる事がなく縄跳びを跳ぶ事が出来る。【００１２】      筒状の部品の組み合わせによる縄跳びのロープは、縄跳びを跳ぶ際による遠心力にて、部品同士がロープ中央に集まる事により、また、筒状部品に直線長さがある事により、綺麗な円を描くことが、ビニル製及び布製ロープに比べ容易に出来る。【００１３】      それにより、縄跳びを回すことが不慣れな子どもも、基本の技の習得がしやすくなる。【００１４】      ビニル製及び布製のロープの場合、保管状態によりロープに癖がつく、絡まる等の使い辛さが発生するが、ひもに筒状の部品を取り付けているため、ロープに癖がつく事や絡まる事を避ける事が出来る。【００１５】      ひもが途中で結ばれることがあっても、縄跳びのロープとして全く支障が出ない構造である。【００１６】      筒状部品の数量を変更する事により、縄跳び自体の重さの調整ができる。【００１７】      それにより、自分の体力や目的に合った縄跳びをカスタマイズする事が可能となる。
【発明の効果】
【００１８】      これらの事により、縄を回す力が小さい方でも比較的安易に縄跳びを回すことができ、ロープがねじれることがなく縄跳びが跳びやすくなる。
【図面の簡単な説明】
【００１９】
【図１】この発明の一実施形態を示す正面図である。
【図２】従来縄跳びの正面図である。
【図３】従来縄跳びの使用状態を示す正面図である。
【符号の説明】
【００２０】      １・・・グリップ、２・・・筒状部品、３・・・ひも
４・・・従来品ロープ
【図１】
2018008134.tif 000003
【図２】
2018008134.tif 000004
【図３】
2018008134.tif 000005
(57)【要約】      （修正有）【課題】糖尿病や万病に効く新規組成物の提供。【解決手段】炭素剣核ビタミンＣ水溶液を出来立てのアルカリイオン水に数滴たらす。炭素剣核を作成後、経口投与する治療法。【選択図】なし【特許請求の範囲】
【請求項１】
炭素剣核ビタミンＣ水溶液を出来たてのアルカリイオン水に数テキたらす。
【請求項２】
炭素剣核を作ったら、マウス（ガンを有する物）にエサといっしょにのませる。
１ヶ月間のませる。
ガンが治る。万病に効く。
【発明の詳細な説明】
【発明が解決しようとする課題】
万病にきく
【課題を解決するための手段】
アルカリイオン水を作るためのキカイ
ビタミンＣの水溶液
【発明の効果】
出来立てのアルカリイオン水にビタミンＣの水溶液数テキたらすと炭素剣核が数百倍にハネ上がる
１８０ｃｃのコップで一杯のむと数百杯のんだのと同じ効果がある。十杯のむと数千杯のんだのと同じ効果がある
(57)【要約】【課題】  下穴錐作業をしやすくし、効率よく締め付け作業にうつれるようにした、下穴錐用工具【解決手段】  下穴錐固定部（７）に挿入出来る、相対する多角形をした挿入部（１）と、錐先より長い本体（２）、先端工具を取り付けられる取付部（３）からなる下穴錐用工具【選択図】図１
2018008362.tif 000002
【特許請求の範囲】
【請求項１】
下穴錐の固定部（７）に挿入出来る、相対する多角形をした挿入部（１）と錐先より長い本体（３）、先端に先端工具を取り付けられる様にした、下穴錐用工具
【請求項２】
請求項１の構造により、錐先に先端工具を付ける方法
【発明の詳細な説明】
【技術分野】
【０００１】  この発明は、下穴加工作業後の、下穴錐用工具に関するものである。
【背景技術】
【０００２】  錐先ビットで下穴加工作業後、錐先ビットを外し、先端工具に交換してネジ締作業するという工程が一連の作業で有った。【０００３】  一方、効率化を図る工具としてドライバービットに、ワンタッチで錐先ビットを取り付けて下穴作業後に錐先ビットを外して締め付け作業する工具などが知られている。
【先行技術文献】
【特許文献】
【０００４】
【特許文献１】特開２００７−２１６３３８（Ｐ２００７−２１６３３８Ａ）
【発明の概要】
【発明が解決しようとする課題】
【０００５】  これらにはこのような欠点があった。錐先ビットを外して、ドリルビット等と交換する作業では、熱く焼けた錐先を取り外す作業になり火傷の心配があった。【０００６】  ワンタッチでドリルビットの先に錐先を取り付け下穴加工する場合、ドリル本体から錐先までの距離が長くなり小さい錐先は、折れやすく穴開け作業に技術が必要で有った。【０００７】ワンタッチで取り付ける工具の場合、振動ドリルの錐先は使いにくい物であった。
本発明は、以上のような欠点をなくすためになされたものである。
【課題を解決するための手段】
【０００８】  以上の課題を解決すべく、下穴錐（６）の下穴錐固定部（７）に挿入出来る、相対する多角形をした挿入部（１）と下穴錐（６）より長い筒状の本体（２）反対の端には先端工具を取り付けられる取付部（３）の構成からなる下穴錐用工具である。
【発明の効果】
【０００９】  本発明による下穴錐用工具は、使用している錐先を外す事なく下穴錐（６）にそのままキャップを被せる様に下穴錐用工具を装着し、締め付け作業が出来る。
【図面の簡単な説明】
【００１０】
【図１】  本発明に係る下穴錐用工具の透視図である。
【図２】  本発明に係る下穴錐用工具にマグネット（４）を付けた断面図である。
【図３】  本発明に係る下穴錐用工具にバネ（５）を付けた断面図である。
【図４】  本発明に係る下穴錐用工具の組み合わせ図である。
【図（５）】  本発明に係る下穴錐用工具の使用時の本体（２）断面図である。
【発明を実施するための形態】
【実施例１】
【００１１】  本発明を実施するための形態について図２を参照して説明すると、錐先を挿入する側、挿入部（１）を設ける。また、錐先より長い筒状の本体（２）があり、反対の端は先端工具が装着出来る取付部（３）からなっている。この取付部（３）側から、イモネジ（８）で先端工具が奥まで入り込まないようになっている。
【実施例２】
【００１２】  本発明の実施例について図２で説明すると、実施例１の構造を有し、挿入部（１）及び取付部（３）にマグネット（４）を取り付けた構造
【実施例３】
【００１３】  本発明の実施例について図３で説明すると、実施例１の構造を有し、挿入部（１）及び取付部（３）にバネ（５）を取り付けた構造【００１４】  この下穴錐用工具の使用例として図４で説明すると、ドリルチャック（１１）に６角軸の下穴錐（６）の下穴錐固定部（７）を固定している。下穴加工作業後、本発明の下穴錐用工具を下穴錐（６）の先端からキャップを被せるように下穴錐固定部（７）に装着する。下穴錐用工具の取付部（３）にドライバービット（９）又はソケットレンチを付けた差込角（１０）を取り付けネジ締作業する。
【符号の説明】
【００１５】１    挿入部
２    本体
３    取付部
４    マグネット
５    バネ
６    下穴錐
７    下穴錐の固定部
８    イモネジ
９    ドライバービット
１０  差込角
１１  ドリルチャック
【図１】
2018008362.tif 000003
【図２】
2018008362.tif 000004
【図３】
2018008362.tif 000005
【図４】
2018008362.tif 000006
【図５】
2018008362.tif 000007
(57)【要約】【課題】構成が簡単であり設置も容易なゴミ入れを提供することを目的とする。【解決手段】ゴミ箱２と、ゴミ箱２に挿入されるゴミ袋７と、蓋１０とを有するゴミ入れ２０であって、蓋１０は、上部壁１と、上部壁１に連結されゴミ箱２の上部を挟持するための外側ゴミ袋押さえ４と内側ゴミ袋押さえ５と、上部壁１に連結され蓋１０の内側方向に延在する複数のゴミ返し蓋３と、外側ゴミ押さえ４に連結された重り保持部９と、を有することを特徴とするゴミ入れ。【選択図】図１
2018008787.tif 000002
【特許請求の範囲】
【請求項１】
ゴミ箱と、前記ゴミ箱に挿入されるゴミ袋と、蓋とを有するゴミ入れであって、
前記蓋は、上部壁と、前記上部壁に連結され前記ゴミ箱の上部を挟持するための外側ゴミ袋押さえと内側ゴミ袋押さえと、前記上部壁に連結され蓋の内側方向に延在する複数のゴミ返し蓋と、前記外側ゴミ押さえに連結された重り保持部と、
を有することを特徴とするゴミ入れ。
【請求項２】
前記ゴミ返し蓋が、上下に回動する程度の弾性を有することを特徴とする請求項１記載のゴミ入れ。
【発明の詳細な説明】
【技術分野】
【０００１】
本発明は、種々の大きさのゴミ袋に適用できるゴミ入れに関する。
【背景技術】
【０００２】
近年、ゴミ箱ついてそのゴミの悪臭を避けることを目的として、その外蓋の構造に特徴を有するものが種々提案されている。しかし、これらのゴミ箱については次のような問題があった。
【０００３】
（イ）生ゴミ等の臭気の激しいものにおいては、これらをゴミ箱に捨てる際、外蓋を開けた時の悪臭は避けられない。
【０００４】
（ロ）また、ゴミ箱中のゴミ袋を取り出す際、口が開いているので、どうしてもその悪臭を避けることは困難であった。
【０００５】
これらの課題を解決するために、例えば、特許文献１にはゴミ箱の内容物の臭いを抑制する中蓋に関する技術が開示されている。以下に、特許文献１の中蓋について説明する。
【０００６】
特許文献１の中蓋６０は、図２（ａ）に示したように上蓋５１、下蓋５２、外枠５３より構成されている。そして、上蓋５１は複数の弁５５を、下蓋５２は複数の弁５６をそれぞれ放射状に有している。また、下蓋５２は中央部に穴が形成されている。なお、外枠５３はゴミ箱の内壁の上側に固定材によって固定される。更に、上蓋５１は２個の取手５４を有している。
【０００７】
ゴミ袋５８の口は下蓋５２の下側から通され、上蓋５１の外周面を包むようにする。そして、上蓋５１、下蓋５２を外枠５３の上に載せる。図２（ｂ）は、ゴミ袋５８が中蓋６０によってゴミ箱５９に設置された状態を示している。こうして中蓋６０が設置されたゴミ箱５９に捨てられた生ゴミは、上蓋５１、下蓋５２を通ってゴミ袋５８の中に入る。上蓋５１は、ゴミが通過する際、中央部が下へ曲がるが弾性があるので、その後もとの形状に戻り、生ゴミの臭いが外にもれるのを遮断する。下蓋５２も同様、ゴミが通過する際、中央部が下へ曲がるが、弾性があるので、その後もとの形状に戻りゴミ袋５８の口を中央部に寄せる。また、下蓋５２も構造上、ある程度の臭いを遮断する。一方、ゴミ回収時には上蓋５１をはずしゴミ袋５８の口を輪ゴム等で止めてから下蓋５２をくぐらせてはずせば、悪臭に悩まされることなく生ゴミを処理することができる。
【先行技術文献】
【特許文献】
【０００８】
【特許文献１】特開平７−１９６１０１号公報
【発明の概要】
【発明が解決しようとする課題】
【０００９】
しかし、上記した特許文献１の中蓋６０はゴミ箱内部のゴミの臭いをある程度遮断できるものの、３個の部品よりなりその構造が複雑であって、多くのコストがかかるという課題があった。
【００１０】
本発明は、上記課題を解決するためになされたものであり、構成が簡単であり設置も容易なゴミ入れを提供することを目的とする。
【課題を解決するための手段】
【００１１】
本発明は、上記課題を解決するため以下の構成を有する。
【００１２】
（１）ゴミ箱と、前記ゴミ箱に挿入されるゴミ袋と、蓋とを有するゴミ入れであって、
前記蓋は、上部壁と、前記上部壁に連結され前記ゴミ箱の上部を挟持するための外側ゴミ袋押さえと内側ゴミ袋押さえと、前記上部壁に連結され蓋の内側方向に延在する複数のゴミ返し蓋と、前記外側ゴミ押さえに連結された重り保持部と、
を有することを特徴とするゴミ入れ。
【００１３】
（２）前記ゴミ返し蓋が、上下に回動する程度の弾性を有することを特徴とする前記（１）記載のゴミ入れ。
【発明の効果】
【００１４】
本発明によれば、構成が簡単であり設置も容易なゴミ入れを提供することができる。
【図面の簡単な説明】
【００１５】
【図１】本発明のゴミ入れの構成を説明するための図
【図２】従来のゴミ箱の臭い止め中蓋を説明するための図
【発明を実施するための形態】
【００１６】
本発明を実施するための形態を、図面を参照しつつ以下に説明する。
【実施例１】
【００１７】
図１は、本発明のゴミ入れ２０の構成を説明するための図であり、図１（ａ）は断面図、図１（ｂ）は平面図である。
【００１８】
ゴミ入れ２０は、ゴミ箱２、ゴミ袋７及び蓋１０から構成され、ゴミ袋７をゴミ箱２の内部に挿入した後、蓋１０を被せて完成する。蓋１０は、上部に円筒状の上部壁１を有している。上部壁１は捨てられるゴミをガイドする機能を有している。また、上部壁１の下部は、蓋１０をゴミ箱２に設置するための内側ゴミ袋押さえ５と外側ゴミ袋押さえ４に連結している。なお、内側ゴミ袋押さえ５は図１（ｂ）に示したように全周に設置される必要はなく、数箇所あればよい。ゴミ箱２の上縁部は内側ゴミ袋押さえ５と外側ゴミ袋押さえ４の間の隙間にゴミ袋７を押さえつつ挿入される。ゴミ袋７は種々の大きさの袋であっても設置することができる。また、外側ゴミ袋押さえ４の外側には重り６を保持するための重り保持部９が設置されている。重り６は、蓋１０が風等によってゴミ箱から離脱しないようにするとともに、ゴミ入れ２０全体の設置状態を安定化させる機能を有している。
【００１９】
更に、ゴミ返し蓋３が放射状に複数設置されている。このゴミ返し蓋３はその基部を中心に上下に回動可能な程度の弾性を有している。すなわち、ゴミを入れる際にはゴミ返し蓋３は下側に回転し、その後自然に元の位置に戻るものとする。ゴミ返し蓋３は、内部のゴミを隠すとともに、ゴミが外に飛び出すのを防止する機能を有しゴミの臭気が外に漏れるのを抑制する。
【００２０】
なお、上記した例では、断面が円形状のゴミ箱２、蓋１０について説明したが、断面形状が矩形状等の他の形状であってもよい。
【００２１】
本発明のゴミ入れ２０は、種々の大きさのゴミ袋７を設置することができるとともに、入れたゴミが飛び出さず、また入れたゴミを外部から見えにくくするという機能を有している。また、ゴミ袋７が外部から直接見えないため見栄えがよく、家庭や事務所等に設置することができる。
【符号の説明】
【００２２】
１    上部壁
２    ゴミ箱
３    ゴミ返し蓋
４    外側ゴミ袋押さえ
５    内側ゴミ袋押さえ
６    重り
７    ゴミ袋
８    穴部
９    重り保持部
１０  蓋
２０  ゴミ入れ
【図１】
2018008787.tif 000003
【図２】
2018008787.tif 000004
(57)【要約】      （修正有）【課題】植物性素材の香りを低下させることなく固化可能な植物性素材ブロック形成方法の提供。【解決手段】少なくとも一旦側が開放されている金属製の筒状体１０に植物性素材５のみを充填し、筒状体１０に充填された植物性素材５を筒状体１０の一端側から圧縮し、植物性素材５を圧縮した状態で、筒状体１０の外周面を加熱する植物性素材ブロック形成方法。【選択図】図４
2018008265.tif 000002
【特許請求の範囲】
【請求項１】
植物性素材を所定形状に形成する植物性素材ブロック形成方法であって、筒状に形成され、少なくとも一旦側が開放されている金属製の筒状体に植物性素材のみを充填し、筒状体に充填された植物性素材を筒状体の一端側から圧縮し、植物性素材を圧縮した状態で、筒状体の外周面を加熱する植物性素材ブロック形成方法。
【請求項２】
加熱中に筒状体に充填された植物性素材を筒状体の一端側から再圧縮する請求項１に記載する植物性素材ブロック形成方法。
【発明の詳細な説明】
【技術分野】
【０００１】植物性素材ブロック形成方法に関する。
【背景技術】
【０００２】  特許文献１には、飲料製造残渣である飲料原料有機質の２００μｍ以下の微細粒子を、原料粘土に対して乾燥質量換算で０．５〜１３質量％となる割合で混合して成形した粘土成形体を焼成して粘土焼成品を製造する。茶殻やコーヒー殻の有機質の焼失により多孔性の粘土焼成品が得られ、吸水性、調湿性及び消臭性に優れている。
【先行技術文献】
【特許文献】
【０００３】
【特許文献１】特開２０１３−０３２２３７号公報
【発明の概要】
【発明が解決しようとする課題】
【０００４】しかしながら、特許文献１の製造方法はコーヒー殻を原料粘土に混合する必要があり、この方法で製造された粘土焼成品はコーヒーの香りが低下する問題があった。本発明は、植物性素材に由来する香りを低下させることなく固化可能な植物性素材ブロック形成方法を提供することを目的とする。
【課題を解決するための手段】
【０００５】植物性素材を所定形状に形成する植物性素材ブロック形成方法であって、筒状に形成され、少なくとも一旦側が開放されている金属製の筒状体に植物性素材のみを充填し、筒状体に充填された植物性素材を筒状体の一端側から圧縮し、植物性素材を圧縮した状態で、筒状体の外周面を加熱する植物性素材ブロック形成方法。
【発明の効果】
【０００６】植物性素材に由来する香りを低下させることなく固化可能な植物性素材ブロック形成方法を提供できる。
【図面の簡単な説明】
【０００７】
【図１】本発明の実施形態に係るコーヒーブロック形成方法により形成されたコーヒーブロックを説明する図である。
【図２】本発明の実施形態に係るコーヒーブロック形成方法を説明する図である。
【図３】本発明の実施形態に係るコーヒーブロック形成方法を説明する図である。
【図４】本発明の実施形態に係るコーヒーブロック形成方法を説明する図である。
【発明を実施するための形態】
【０００８】本発明の実施形態に係るコーヒーブロック形成方法により形成されたコーヒーブロックは図１に示すように、コーヒー粉５が円柱形状や四角柱形状に形成されたものであり、これを所定長に切断等して使用される。図２〜４を参照して本発明の実施形態に係るコーヒーブロック形成方法を説明する。本実施形態に係るコーヒーブロック形成方法は、コーヒー豆を粉砕したコーヒー粉５が所定形状に形成されたコーヒーブロック１を形成する。まず図２に示すように筒状に形成され、少なくとも一旦側が開放されている金属製の筒状体１０にコーヒー粉５のみを充填する。次に図３に示すように、筒状体１０に充填されたコーヒー粉５を筒状体の一端側から万力２０により圧縮し、図４に示すようにコーヒー粉５を圧縮した状態で、筒状体１０の外周面にヒータ３０をセットし、筒状体１０を加熱する。また、加熱中に筒状体１０に充填されたコーヒー粉５を筒状体１０の一端側から再圧縮してもよい。
【０００９】本実施形態によれば型にコーヒー粉をつめ圧縮・熱を加えることでリグニン（高等植物の木化に関する高分子のフェノール性化合物）の働きにより固形化するのでコーヒー豆を粉砕したコーヒー粉のみで固形化することができる。
【００１０】本実施形態ではコーヒー粉５をコーヒーの抽出かすを乾燥させたものを用いることができる。ここでコーヒーの抽出かすは、一般的に家庭用消臭剤に使われている活性炭とよく似た構造をしており、この多孔質な構造によりコーヒーの抽出かすの表面積が増え、いやな臭いをキャッチし、吸収する。
また、コーヒーの抽出かすは酸性のため、アルカリ性であるアンモニアを中和させアンモニア臭を抑えることができる。
【００１１】筒状体１０は、筒の直径３４ｍ、長さ６０ｍｍ、筒肉厚２ｍｍの寸法で形成されている。本実施形態のコーヒーブロック形成方法では、この筒状体１０をヒーター３０にて１１分間加熱する。（ヒーター３０に温度制御する機能がついていない場合には、温度の過剰上昇を防ぐため、こまめにヒーター３０のスイッチを入り切りするのが望ましい。）
【００１２】再圧縮のタイミングは、加熱開始からのおおよそ６分後と１１分後が望ましい。
【００１３】ヒーター３０による加熱温度はリグニンの軟化温度以上に熱することが望ましい。リグニンとはコーヒーの抽出かすに含まれる成分で、これに圧力を加えるとリグニンが溶け接着剤の役割をし、同じくコーヒーの抽出かすに含まれるセルロースとヘミセルロースが接着される事で成型できる。リグニン、ヘミセルロース及びセルロースの熱軟化温度は、例えば、乾燥状態では、それぞれ、１３４〜２３５℃、１６７〜２１７℃及び２３１〜２５３℃であり、湿潤状態では、それぞれ、７７〜１２８℃、５４〜１４２℃及び２２２〜２５０℃である。
【００１４】上記実施形態では、植物性素材の一例であるコーヒーを例に説明したが、本発明の植物性素材はコーヒーに限らず、茶葉、花、果実（果実の皮のみを含む）等であってもよい。この場合、上記実施形態に於いて、コーヒー粉５の代わりに上記の植物性素材を用いることで植物性素材ブロックを得ることができる。
【符号の説明】
【００１５】１コーヒーブロック
５コーヒー粉
１０筒状体
２０万力
３０ヒータ
【図１】
2018008265.tif 000003
【図２】
2018008265.tif 000004
【図３】
2018008265.tif 000005
【図４】
2018008265.tif 000006
(57)【要約】【課題】絶縁膜上に形成されたボンディングパッドにボンディングワイヤーを打つ際に生じる絶縁膜のクラックが、横方向に広がらないようにする。【解決手段】ボンディングパッド直下の絶縁膜内部に、ボンディングパッドとボンディングパッド下部の配線金属とを接続し、ボンディングパッド面とボンディングパッド下部の配線金属面の一部領域を囲い込む構造の囲い込み層を形成する。これによってボンディングパッド直下の絶縁膜内部に生じたクラックが、囲い込み層内部に閉じ込められるため、横方向の広がりを防ぐことができる。【選択図】図２
2018037429.tif 000002
【特許請求の範囲】
【請求項１】
ボンディングパッド下の絶縁膜中に、前記ボンディングパッドと、前記ボンディングパッドの下部の配線金属とを接続し、前記ボンディングパッド面と、前記配線金属面の一部領域を囲い込む構造の、囲い込み層を有することを特徴とする半導体装置。
【請求項２】
前記囲い込み層の形状が、平面視においてハ角形であり、前記囲い込み層の内部に絶縁膜が充填されていることを特徴とする請求項１に記載の半導体装置。
【請求項３】
前記平面視おいて八角形の囲い込み層の外角が45°であることを特徴とする請求項１から請求項２に記載の半導体装置。
【請求項４】
前記囲い込み層が、タングステンで形成されていることを特徴とする、請求項１から請求項３に記載の半導体装置。
【請求項５】
前記絶縁膜がシリコン酸化膜であることを特徴とする、請求項１から請求項４に記載の半導体装置。
【請求項６】
前記囲い込み層の前記ボンディングパッドおよび、前記ボンディングパッド下部の前記配線金属との接続領域が、金属の相互拡散を阻止するバリア金属層で形成されていることを特徴とする、請求項１から請求項５に記載の半導体装置。
【請求項７】
前記バリア金属層が、窒化チタンであることを特徴とする、請求項１から請求項６に記載の半導体装置。
【発明の詳細な説明】
【技術分野】
【０００１】
本発明は、半導体装置の保護膜である絶縁膜上に形成されたボンディングパッドにボンディングワイヤーを打つ際生じる、絶縁膜のクラックの横方向の広がりを防止するための半導体装置の構造に関する。
【背景技術】
【０００２】
半導体装置に保護膜として形成された絶縁膜は、配線と配線間を絶縁し、チップ面を、可動イオンなどから保護する働きがあり、半導体装置の電気特性、信頼性を確保する上で重要である。絶縁膜にクラックが入ると、そこから可動イオンなどが侵入し、半導体の電気特性を劣化し信頼性を低くする。
【先行技術文献】
【特許文献】
【０００３】
【特許文献１】特開平９−２７５１４号公報
【発明の概要】
【発明が解決しようとする課題】
【０００４】
半導体基板上に酸化膜とナイトライド膜を順次積層し、さらにナイトライド膜上にボンディングパッドを積層してワイヤーボンディング時の振動、荷重によって酸化膜にクラックが生じることを防ぐ構造が示されている、しかし荷重がかかりすぎて酸化膜にクラックが生じた場合、クラックが横方向全体に広がり、半導体装置の信頼性を低下させる。
【０００５】
本発明は、上記問題点を解決し、絶縁膜にクラックが生じた場合、クラックの横方向への広がりを最小限に阻止できる構造を提供する。
【課題を解決するための手段】
【０００６】
ボンディングパッド直下の絶縁膜内部に、ボンディングパッドとボンディングパッド下部の配線金属とを接続し、ボンディングパッド面とボンディングパッド下部の配線金属面の一部領域を囲い込む構造の囲い込み層を形成する。
【発明の効果】
【０００７】
本発明によれば、ボンディングパッドに加わる衝撃でボンディングパッド直下の絶縁膜にクラックが生じた場合、囲い込み層内部にクラックを閉じ込めることができ、クラックの横方向への広がりを最小限に阻止できる。
【図面の簡単な説明】
【０００８】
【図１】本発明の従来例の構造の断面図である。
【図２】本発明の実施例１の構造の断面図である。
【図３】本発明の実施例１の構造の平面図である。
【図４】本発明の実施例２の構造の断面図である。
【発明を実施するための形態】
【０００９】
以下、本発明の実施の形態となる構造について説明する。
【実施例１】
【００１０】
図１に従来構造のボンディングパッドと、その下部の構造の断面図を記す。従来構造では、ボンディングパッド２の下に、絶縁膜３が存在し、ボンディングパッド２にボンディングワイヤー１を打ち、この衝撃で下地の絶縁膜３にクラック４が生じた場合、クラック４が絶縁膜３の横方向に伸び、半導体装置全域にクラック４が広がるため、半導体装置の信頼性を確保できなかった。図２に本発明の実施例1の構造を示す。実施例１では、ボンディングパッド２の直下の絶縁膜３内部に、ボンディングパッド２とボンディングパッド２の下部の配線金属６とを接続し、ボンディングパッド２およびボンディングパッド２下部の配線金属６の一部の領域を取り囲む構造の、囲い込み層５が埋められている。囲い込み層５は、平面視における形状は八角形であることが好ましく、、また内部には絶縁膜が充填されている。このように囲い込み層５を設けることで、ボンディングパッド２にボンディングワイヤー１を打つ際の振動、荷重で生じた、絶縁膜３のクラック４を、囲い込み層５の内部に抑えることができる。また、囲い込み層の外郭の形状は、八角形以外に平面視において円形でもよい。
囲い込み層５の材質は、材質が硬く、内部に生じたクラックをしっかりブロックできる金属を用いることが好ましく、中でもタングステンで形成することが好ましい。また、構造を安定化するために、ハ角形の外角は45°であることが好ましい。囲い込み層５は、絶縁膜にレジスト等でパターンニングし、ドライエッチングでトレンチを掘り、その後スパッタ、ＣＶＤ等でタングステンを埋めるが、例えば囲い込み層５の平面視における形状が長方形、正方形であると、トレンチの直角部分をタングステンで充分埋め込むことは難しく、隙間ができれしまうという問題がある。
【実施例２】
【００１１】
実施例２の構造を、図4に示す。前記囲い込み層５の、ボンディングパッド２およびボンディングパッド２の下部の配線金属６とを接続する部分の領域７は、金属の相互拡散を防ぐ、バリア金属で形成されている。配線金属６に他の金属が拡散すると、配線金属６の抵抗値が変化したり、また、配線金属が硬化し、接続強度が確保できないという問題がある。接続強度が確保できないと、そこからクラックが横方向に伸びるため、囲い込み層によってクラックの横方向の伸びを防止できなくなる。これらを回避し、より、クラックの横方向の伸びを防ぐには、バリア金属７を形成することが有効であり、バリア金属７としてはバリア性の高い窒化チタンが有効である。
【符号の説明】
【００１２】
１、ボンディングワイヤー
２、ボンディングパッド
３、絶縁膜
４、クラック
５、囲い込み層
６、配線電極
７、バリア金属
【図１】
2018037429.tif 000003
【図２】
2018037429.tif 000004
【図３】
2018037429.tif 000005
【図４】
2018037429.tif 000006
(57)【要約】      （修正有）【課題】農業生産は他の産業に比べて、労働環境、経済的環境の厳しい業界であり、これらの厳しい環境を改善するための方法を提供する。【解決手段】下部に水抜き穴８、と上部に植物安定板４、を設けた栽培用ケース５、内部に籾殻７を敷き詰め上部に栽培用植物の苗を植え付ける構造の植物栽培方法であり、籾殻は安価な物質であり植物栽培において培地に活用することで費用対効果からも農業経済活動においても有利に働く作用が生じ、さらに籾殻は物質的に比重が低く軽いため、栽培活動労力が軽減される。【選択図】図１
2018191625.tif 000002
【特許請求の範囲】
【請求項１】
あらかじめ、下部に水抜き穴８、と上部に植物安定板４、を設けた栽培用ケース５、内部に籾殻を敷き詰め上部に栽培用植物の苗を植え付ける構造の植物栽培方法であると同時に籾殻は安価な物質あり植物栽培において培地に活用することで費用対効果からも農業経済活動においても有利に働く作用が生じる、さらに籾殻は物質的に比重が低く軽いため、栽培活動労力が軽減される。などの特徴を有する培地に籾殻を利用した植物栽培方法。
【請求項２】
籾殻に適量の薫炭と堆肥を添加する。薫炭を添加されることでアルカリ性が強くなる。農業用ヨーグルトを水に溶かして添加することでｐＨの値は下がり中性を示す。などの籾殻培地を用いた植物栽培方法。
【発明の詳細な説明】
【技術分野】
【０００１】  本発明の栽培方法は、植物栽培において生育培地に籾殻を使用する栽培方法である。
【背景技術】
【０００２】  農業の最大の課題は厳しい労働力である。本発明の栽培方法は植物の栽培生育培地に軽い（比重が低い）籾殻を使用するため労働力が軽減される栽培方法である。
特許文献に付きましては、調べましたが本発明に関連した文献はありませんでした。
【発明の開示】
【発明が解決しようとする課題】
【０００３】  農業生産は他の産業に比べて、労働環境、経済的環境の厳しい業界である。本発明はこれらの厳しい環境を改善するための方法である。
【課題を解決するための手段】
【０００４】  籾殻は比重の小さい物質である。したがって、軽いため作業が軽減されると共に栽培終了後においても籾殻は廃棄物にはならない、肥料として土壌に戻すことができる。また、農業収入などの経済的効果においても籾殻は最も安価な物質であることから費用対効果環境においても有利な効果を得ることができる。
【発明の効果】
【０００５】  籾殻の比重は０．１である。木質は０・３、水は１、０であることから籾殻は極めて軽い物質であることを示している。このようなことから年配者や女子など比較的力の無い方々でも容易に栽培ができるなどの効果が見られる。また、住宅のベランダにおいても籾殻は軽いために栽培が可能になると共にビルなどの比較的高い所においても栽培が効能になるなどの特徴を示す。
【発明を実施するための最良の形態】
【０００６】  本発明の形態は現在既に行われている水耕栽培とほぼ同じである。図１のＡに示すように水耕栽培装置（既設栽培）で、Ａ図では栽培用ケース５、内に水が入っているのに対してＢ図では籾殻が入っている。Ａ図、Ｂ図の構造は同じであるが栽培用ケース５、内に入っている水２、籾殻７、が異なっていて本発明の栽培方法がＢ図である。また、本発明の籾殻培地では堆肥や薫炭などの添加物の混合が可能な点がある。水中では出来ない微生物環境が形成されることなどの効果を得ることができる特徴を示す。
【実施例】
【０００７】  先ず、農業ハウス内に細長く図１に示す構造物を設置する。あらかじめ、堆肥と薫炭を添加された籾殻２、を栽培用ケース５、内部に敷き詰める。この時同時に植物の成長必須元素などを添加したものをいれても良い。次に、水を散布してから、苗木を植えることで栽培準備完了。
生育過程では肥料などの成分を与えるのであるが、現在では溶液土耕用肥料が販売されていてそれらを用いて植物に与える事で栽培が行われる。
【産業上の利用可能性】
【０００８】  籾殻は軽いと同時に安価で購入できる。さらに、日本全国どこにでも存在して余っているのが現状、したがって、栽培方法と栽培設備が開発されれば多くの栽培農家で採用されると考える。
【図面の簡単な説明】
【０００９】
【図１】Ａ  水耕栽培方法（既設）  Ｂ  本発明籾殻培地植物栽培方法
【符号の説明】１、            葉
２、            水
３、            茎
４、            植物安定板（発泡スチロール製）
５、            栽培用ケース
６、            支柱
７、            籾殻
８、            水抜き穴
【図１】
2018191625.tif 000003
(57)【要約】      （修正有）【課題】水槽や水族館において、魚の水槽から水槽への泳ぎを観る事ができる誘導管を提供する。【解決手段】アーチ型魚誘導管は、魚の行動が透明のパイプを、配したため一段と魚の優美な泳ぎの姿を観ることが出来るように成った、又魚の行動範囲を広める事に繋がり、更に魚の産卵期のふしぎな行動を監視カメラで記録する機会ともなり、又魚誘導管で水の流れを誘導することで水の活性化を図り更に水耕栽培に適した植物を栽培することで、魚と植物のコラボ館としても開発可能となった。このアーチ型魚誘導管に水を流し入れ満水させる方法に水中キャツプが有るが、このキャップの開ける方法は３通りある。（１）浮き袋の浮力でキャップを開ける自然型開放キャツプ、（２）水深が比較的浅い水槽等では、手で開け閉め出来る切込み式キャップ、（３）水深が比較的深い水槽又は池や沼等には水深に応じた「鉄線棒」を・キャップと一体化させて、水面上で右回しで開く方法【選択図】図１
2018191624.tif 000002
【特許請求の範囲】
【請求項１】
アーチ型パイプの両端に水中キャツプを接続し、キャップに浮き袋を水深に応じた紐を付着し、浮き袋の浮力で水中キャツプを開き、魚の出入口として開放するアーチ型魚誘導管。
【請求項２】
アーチ型パイプの両端に水中キャップを接続し、キャツプに水深に応じた線棒を取り付け、線棒を引き上げることで水中キャップを開き、魚の出入口として開放するアーチ型魚誘導管。
【請求項３】
請求項１、請求項２、を、応用して、二つの水槽を魚が自由に行き来出来るアーチ型誘導管付き水槽。
【請求項４】
請求項１、請求項２、を応用して、三つの水槽を魚が自由に行き来出来るアーチ型誘導管付き水槽。
【請求項５】
請求項３又は請求項４の水槽に、水中ポンプ「一般市販物」で、水を循環させ、バブル水「泡状水」で、水の活性化を図り、又各水槽をパイプで繋ぎ「うなぎ稚魚・小魚など」又、この水槽内に「水耕栽培に適した植物」を植栽させ、「魚と植物」のコラボ館」としての「多目的水槽」。
【請求項６】
請求項１を応用して、水族館であればイルカの誘導管として、又池や沼には天空を舞う魚管として開発する。
【発明の詳細な説明】
【技術分野】
【０００１】  本発明は、アーチ型透明パイプに水を流し入れて、両端に開け閉めキャップを接続し「パイプに水が十分満たされた状態」で、水中キャップを開く事でも、パイプ内の水が流れ出ないことから、又水面「水圧」違いで水が流動することでも、「魚の誘導管」として又水質浄化管としても開発する。
【背景技術】
【０００２】  現在、全国何処でも水環境が懸念されているが、これは水環境を念頭に開発した物で、従来の水槽などでは魚の生息する環境は決て良好とは言えず、又水耕栽培や魚の養殖場にしても水環境を更に考慮する必要がある。これ等を補う物として魚であれば生息する環境はさらに広がり、又水耕栽培場では魚と共存することで相乗効果が視られる。  現在水中でパイプの開け閉め技術は高度な物として開発されているものの電動作動を考慮すると、魚の生息環境には注意すべき点が多々あり、これ等を背景にこのシステムを開発した。
【図面の簡単な説明】
【図１】二個の水槽に、アーチ型パイプで、このアーチ型パイプを魚が自由に行き来できる  「システム」  「Ａ」から、送水し、「Ａ−１」「Ａ−２」「Ａ−３」「Ａ−４」「Ａ−５」「Ａ−６」「Ａ−７」「Ａ−８」  それぞれ、ネジコミ式水中キャツプを付着し、このキャップには１ｍｍ程度の穴を開け・この穴から出る水で二個の水槽に水が十分満たされた状態で、又パイプ内に水が充満された状態で、このネジコミ式キャツプを右回しで取り外し、魚の「出入口」として開放する、但し「Ａ−３」「Ａ−４」キャップには穴を開けないキャップと交換し、魚の｛出入口」としない。
【図２】３個の水槽、又は溜め池や水族館等にアーチ型パイプで、このアーチ型パイプを魚が自由に行き来できる「システム」  「Ａ−１」から、送水し、「Ａ−２」「Ａ−３」「Ａ−４」「Ａ−５」「Ａ−６」「Ａ−７」それぞれの「水中キャツプ」を付着し、水深に応じた長さの線棒又は浮き袋を繋ぎパイプ内に水が充分行き渡る状態で、水面から出た浮き袋の浮力で、又は手で引き開ける状態で水中キャツプを開き、魚の「出入口」として開放する「システム」
【図３】池や沼又は養殖場などで使用するこのアーチ型魚誘導管には、▲１▼  浮き袋の浮力でキャップを開ける方法  ▲２▼  水深が比較的浅い水槽等では、手で開け閉め出来るネジコミ式キャツプ  ▲３▼  水深が比較的深い養殖場等には、水深に応じた「「鉄線」を。キャツプと一体化させて水面上で右回しで開く方法を設けた。
【図１】
2018191624.tif 000003
【図２】
2018191624.tif 000004
【図３】
2018191624.tif 000005